(57)【特許請求の範囲】
【請求項１】
スキャナを支持する支持枠体と、
前記支持枠体から下方に向かって垂直に延びた一対の支柱と、
前記一対の支柱を連結する板状の部材である背面板と、
前記一対の支柱と前記背面板とによって形成された空間である基板収納部に収納された前記スキャナを制御するスキャナ制御基板と、
前記基板収納部を挟んで前記背面板に相対するように設けられ、前記基板収納部を覆蓋するシールド蓋と、
前記シールド蓋に形成された開口部を覆蓋する開閉可能であってシールド蓋と電気的に接続される扉と、
前記扉の面に直交するように前記扉に設けられた係合部と、
前記シールド蓋の上下方向に設けられ、前記係合部に前記扉の面方向に対して平行に延在するように形成された長孔に挿通されて前記扉を回転可能に支持するシャフトと、
を備え、
前記扉は、前記シールド蓋の面方向に沿ってスライドし、次いで前記シャフトを中心として回転することによって開くと共に、前記シールド蓋の面方向に沿ってスライドしているときは前記シールド蓋との電気的接触を保持した状態にある
スキャナ支持台。
【請求項２】
前記扉には、扉を閉じたときに、前記シールド蓋の開口部の縁部に係合するフックが設けられている請求項１に記載のスキャナ支持台。
【請求項３】
前記シールド蓋の開口部の縁部にはフックが設けられ、前記扉には、前記扉を閉めたときに前記シールド蓋のフックに係合する開口部が設けられている請求項１または２に記載のスキャナ支持台。
【請求項４】
前記支柱は、コの字型の断面を有するように金属板を屈曲させて形成されている請求項１〜３の何れか１項に記載のスキャナ支持台。
【請求項５】
前記背面板は、側縁において前記支柱に接合されている請求項１〜４の何れか１項に記載のスキャナ支持台。
【請求項６】
前記背面板は、前記一対の支柱にレーザ熔接されている請求項１〜５の何れか１項に記載のスキャナ支持台。
【請求項７】
前記基板収納部に収納されたスキャナ制御基板は、前記スキャナからの画像信号を処理する画像信号処理回路が設けられている請求項１〜６の何れか１項に記載のスキャナ支持台。
【請求項８】
請求項１〜７の何れか１項に記載のスキャナ支持台と、前記スキャナ支持台の支持枠体に載置されたスキャナと、を備えるスキャナユニット。
【請求項９】
請求項８に記載のスキャナユニットと、前記スキャナユニットの備えるスキャナで画像を読み取って得られる画像データに基いて画像を形成し、印刷するプリンタユニットと、を備える画像形成装置。
【請求項１０】
前記プリンタユニットは、電子写真方式のプリンタユニットである請求項９に記載の画像形成装置。
【請求項１１】
前記プリンタユニットは、インクジェット方式のプリンタユニットである請求項９に記載の画像形成装置。
【発明の詳細な説明】
【技術分野】
【０００１】
本発明は、スキャナ支持台、スキャナユニット、および画像形成装置に関する。
【背景技術】
【０００２】
複写機やプリンタのような画像形成装置では、原稿を読み取るスキャナユニットと、スキャナユニットで原稿を読み取って得られた画像データに基いて画像を印刷するプリンタユニットとを備えるものが一般的である。
【０００３】
しかし、近年、前記画像形成装置においては、デジタル信号方式のものが一般化している。従来のアナログ方式の画像形成装置とは異なり、デジタル信号方式の画像形成装置においては、スキャナユニットとプリンタユニットとを必ずしも１つのケーシングに収納する必要はない。そこで、スキャナユニットとプリンタユニットとを別個のケーシングに収納し、配置の自由度を拡大することが広く行われている。
【０００４】
このような画像形成装置としては、たとえば、原稿を読み取るスキャナユニットと、該スキャナユニットで読み取られた画像情報を用紙にプリントするプリンタユニットと、前記スキャナユニットおよび前記プリンタユニットを制御する制御基板を有する制御ユニットと、支持台とを備えた画像形成装置がある（特許文献１）。
【０００５】
前記画像形成装置においては、支持台は、前記スキャナユニットを支持する支持部と、前記支持部の四隅部の２つの隅部から下方に固定された２本の支持側部と、前記支持側部の下端部からそれぞれほぼ水平に延設された支持足部と、前記支持足部を連結する連結側部とを備える。
【０００６】
そして、前記制御ユニットは、前記支持部、２本の前記支持足部および前記連結側部により囲まれた矩形状の空間の全面を塞ぐように固定されている。
【特許文献１】特許第３９１２３５３号公報
【発明の開示】
【発明が解決しようとする課題】
【０００７】
しかしながら、制御ユニットを支持台とは別体として形成し、これを支持台に嵌挿する構成をとると、制御ユニットが支持台に確実に接地されないことがある。また、制御ユニットの支持台への締結が不十分であると、支持台が剛性不足となることがある。また、別体として仕上げられた制御ユニットを支持台に嵌め込むのは作業性の面でも好ましくない。
【０００８】
本発明は、制御ユニットを別体とすることで生じる前記諸問題を解決できるスキャナ支持台の提供を目的とする。
【課題を解決するための手段】
【０００９】
請求項１に記載の発明は、スキャナを支持する支持枠体と、前記支持枠体から下方に向かって垂直に延びた一対の支柱と、前記一対の支柱を連結する板状の部材である背面板と、前記一対の支柱と前記背面板とによって形成された空間である基板収納部に収納された前記スキャナを制御するスキャナ制御基板と、前記基板収納部を挟んで前記背面板に相対するように設けられ、前記基板収納部を覆蓋するシールド蓋と、前記シールド蓋に形成された開口部を覆蓋する開閉可能であってシールド蓋と電気的に接続される扉と、前記扉の面に直交するように前記扉に設けられた係合部と、前記シールド蓋の上下方向に設けられ、前記係合部に前記扉の面方向に対して平行に延在するように形成された長孔に挿通されて前記扉を回転可能に支持するシャフトと、を備え、前記扉は、前記扉の面方向に沿って前記シールド蓋に対してスライドし、次いで前記シャフトを中心として回転することによって開くと共に、前記シールド蓋に対してスライドしているときは前記シールド蓋との電気的接触を保持した状態にあるスキャナ支持台に関する。
【００１０】
請求項２に記載の発明は、請求項１に記載のスキャナ支持台において、前記扉に、扉を閉じたときに、前記シールド蓋の開口部の縁部に係合するフックが設けられていることを特徴とする。
【００１１】
請求項３に記載の発明は、請求項１または２に記載のスキャナ支持台において、前記シールド蓋の開口部の縁部にはフックが設けられ、前記扉には、前記扉を閉めたときに前記シールド蓋のフックに係合する開口部が設けられていることを特徴とする。
【００１２】
請求項４に記載の発明は、請求項１〜３の何れか１項に記載のスキャナ支持台において、前記支柱が、コの字型の断面を有するように金属板を屈曲させて形成されていることを特徴とする。
【００１３】
請求項５に記載の発明は、請求項１〜４の何れか１項に記載のスキャナ支持台において、前記背面板が側縁において前記支柱に接合されていることを特徴とする。
【００１４】
請求項６に記載の発明は、請求項１〜５の何れか１項に記載のスキャナ支持台において、前記背面板が前記一対の支柱にレーザ熔接されていることを特徴とする。
【００１５】
請求項７に記載の発明は、請求項１〜６の何れか１項に記載のスキャナ支持台において、前記基板収納部に収納されたスキャナ制御基板に前記スキャナからの画像信号を処理する画像信号処理回路が設けられていることを特徴とする。
【００１６】
請求項８に記載の発明はスキャナユニットに関し、請求項１〜７の何れか１項に記載のスキャナ支持台と、前記スキャナ支持台の支持枠体に載置されたスキャナと、を備えることを特徴とする。
【００１７】
請求項９に記載の発明は画像形成装置に関し、請求項８に記載のスキャナユニットと、前記スキャナユニットの備えるスキャナで画像を読み取って得られる画像データに基いて画像を形成し、印刷するプリンタユニットと、を備えることを特徴とする。
【００１８】
請求項１０に記載の発明は、請求項９に記載の画像形成装置において、前記プリンタユニットが電子写真方式のプリンタユニットであることを特徴とし、請求項１１の発明は、請求項９に記載の画像形成装置において、前記プリンタユニットが電子写真方式のプリンタユニットであることを特徴とする。
【発明の効果】
【００１９】
請求項１の発明によれば、スキャナ支持台の一対の支柱は背面板で接続され、しかも前記一対の支柱と背面板とで形成される空間である基板収納部に基板が収納されているから、剛性が高く、しかも前記基板収納部はシールド蓋で覆蓋され、しかも前記シールド蓋には、電気的な接触を保持した状態で開閉可能な扉が設けられているから、前記基板が確実に電磁シールドされる上、開閉に拘らず、扉の接地を確実に取ることのできるスキャナ支持台が提供される。また、扉を開けるときは、最初に扉をシールド蓋の面に沿ってスライドさせ、次いで手前側にあける操作が可能になるから、開口部を扉で完全に覆うことができる。
【００２０】
請求項２の発明によれば、扉を開けるときには、扉をシールド蓋の面に沿ってスライドさせて前記フックと開口部の縁部との係合を解除しないと、扉を手前側にあける操作が行えないから、扉が不用意に開放されなルことのないスキャナ支持台が提供される。
【００２１】
請求項３の発明によれば、扉を開けるときには、扉をシールド蓋の面に沿ってスライドさせて前記フックと開口部の縁部との係合を解除しないと、扉を手前側にあける操作が行えないから、扉が不用意に開放されなルことのないスキャナ支持台が提供される。
【００２２】
請求項４の発明によれば、金属板をコの字型に屈曲させて支柱を形成しているから、支柱として角パイプまたは丸パイプを用いる場合に比較してスキャナ支持台を安価に提供できる。
【００２３】
請求項５の発明によれば、背面板を側縁において支柱に接合しているから、たとえば背面板の面を支柱に接合した形態のスキャナ支持台と比較して剛性の高いスキャナ支持台が提供される。
【００２４】
請求項６の発明によれば、背面板と支柱との接合にレーザ熔接を用いているから、電磁シールド性の高いスキャナ支持台が得られる。
【００２５】
請求項７の発明によれば、スキャナ支持台の基板収納部に収納されたスキャナ制御基板には、前記スキャナからの画像信号を処理する画像信号処理回路が設けられているから、スキャナ、複写、およびファックス機能を有するスキャナ制御基板を省スペースで配置できる。
【００２６】
請求項８の発明によれば、スキャナとスキャナ制御回路とがスキャナ支持台で一体化された省スペースで堅牢なスキャナユニットが提供される。
【００２７】
請求項９の発明によれば、プリンタユニットと省スペースで堅牢なスキャナユニットとからなり、配置の自由度の高い画像形成装置が提供される。
【００２８】
請求項１０の発明によれば、配置の自由度の高い電子写真方式の画像形成装置が提供され、請求項１１の発明によれば、配置の自由度の高いインクジェット方式の画像形成装置が提供される。
【発明を実施するための最良の形態】
【００２９】
１．実施形態１
【００３０】
本発明のスキャナ支持台の一例について以下に説明する。
【００３１】
実施形態１に係るスキャナ支持台１００は、図１〜４に示すように、スキャナ（図示せず。）が載置される長方形状の支持枠体１と、支持枠体１の１の短辺から下方に延びる一対の側板２Ａ、２Ｂ（支柱）と、側板２Ａ、２Ｂを連結する背面板３とを備える。
【００３２】
背面板３の上縁は、支持枠体１の下面まで延在している。
【００３３】
側板２Ａ、２Ｂは、背面板３の上縁近傍において上板４で、上板４よりも下方で下板５で接合されている。上板４の上面には支持枠体１が固定されている。
【００３４】
側板２Ａ，２Ｂは、図２〜４に示すように、上板４とともに支持枠体１の下面に取り付けられている。
【００３５】
側板２Ａ，２Ｂと上板４と下板５と背面板３とで形成された空間である基板収納部６には、図４に示すようにスキャナ制御基板７が収納されている。そして、基板収納部６は、シールド蓋８によって覆蓋されている。シールド蓋８の中央部左寄りには、基板収納部６に収納されたスキャナ制御基板７を点検等するための扉９が設けられている。
【００３６】
支持枠体１は、図５および図６に示すように、スキャナを下方から支持する一対の支持梁１０と、支持梁１０を連結する一対の連結梁１１とから構成される。連結梁１１の図５における手前側の面には、スキャナが嵌合する嵌合ピン１２が一対ずつ立設されている。
【００３７】
図６に示すように、支持梁１０と連結梁１１とは、何れも角パイプから構成され、レーザビード熔接で組み立てられて支持枠体１とされている。
【００３８】
図７および図８に示すように、側板２Ａ、２Ｂと上板４と下板５と背面板３とにより、スキャナ支持台１００の胴体部２０が構成される。
【００３９】
側板２Ａ、２Ｂ、上板４、下板５は、何れも金属板をコの字型にプレスして形成される。また、上板４は、端面において側板２Ａ、２Ｂの上端に突き当てられ、レーザビード熔接およびレーザパルス熔接で接合されている。ここで、レーザビード熔接はレーザ光による所謂ベタ付けであり、パルス熔接は、５〜１０ｍｍピッチでレーザ光を貫通させて熔接する熔接法である。レーザビード熔接は、上板４の短い方の辺を接合する場合のように熔接長が短い部分、たとえば熔接長が５０ｍｍ未満の部分の接合に使用され、レーザパルス熔接は、上板４の長い方の辺を接合する場合のように熔接長が長い部分、たとえば熔接長が５０ｍｍ以上の部分の接合に使用される。
【００４０】
同様に、下板５は、端面において側板２Ａ、２Ｂの中央よりも下側に突き当てられ、レーザビード熔接およびレーザパルス熔接で接合されている。
【００４１】
背面板３は、側縁において側板２Ａ、２Ｂに突き当てられるとともに、面で上板４および下板５に突き当てられ、何れもレーザパルス熔接で接合されている。
【００４２】
胴体部２０の上端には、図２〜図４に示すように支持枠体１が突き当てられてレーザビーム熔接およびレーザパルス熔接で接合され、スキャナ支持台１００が構成される。
【００４３】
シールド蓋８は、図１に示すように、胴体部２０の背面にビス１３で固定されている。
【００４４】
図１０および図１１に示すように、シールド蓋８にはスキャナ制御基板７に近接するための開口部１５が形成され、開口部１５は、扉９によって覆蓋されている。
【００４５】
扉９は、図９〜図１１に示すように、一側縁部において一対の蝶番１４によってシールド蓋８に軸支されている。
【００４６】
扉９には、蝶番１４のシャフト１４Ａに係合している係合部９Ａと、扉９の蝶番１４によって軸支されている側の側縁に突設され、扉９を閉じたときに開口部１５の縁部に係合する一対のフック９Ｂと、扉９の蝶番１４によって軸支されている側とは反対側の側縁に突設され、扉９を閉じたときに胴体部２０の側板２Ｂに係合するフック９Ｃと、扉を閉じたときにシールド蓋８のフック８Ａに係合する開口部９Ｄと、フック９Ｃが突設された側の側縁部に設けられ、扉９を閉じたときにシールド蓋８と電気的に接触して導通をとる接続片９Ｅと、扉９の上下の側縁近傍に設けられ、扉９を閉じたときにシールド蓋８と電気的に接触して導通をとる接続片９Ｆとを備える。
【００４７】
接続片９Ｅ、９Ｆの中央部には小孔９Ｇが設けられ、図１３、１４に示すように、シールド蓋８には、扉９を閉じたときに接続片９Ｅ、９Ｆの小孔９Ｇに係合するエンボス部８Ｂが設けられている。
【００４８】
なお、扉９のフック９Ｂが突設された側の側縁には、図１０の紙面から突出する方向に把手９Ｈが３個形成されている。
【００４９】
図１１に示すように、扉９の係合部９Ａは、扉９の面方向に対して平行に延在するとともに、蝶番１４のシャフト１４Ａが係合するための長孔９Ｉが係合部９Ａの延在方向に設けられている。そして、扉９を閉めた状態においては、シャフト１４Ａは長孔９Ｉの図１１における右側の端部に位置している。
【００５０】
扉９を開けるときは、先ず、フック９Ｃと側板２Ｂとの係合を解除し、図１１および図１２において矢印ａで示すように、扉９を、シールド蓋８の面に沿ってフック９Ｃが側板２Ａから遠ざかる方向にスライドさせる。扉９を矢印ａの方向にスライドさせた状態においては、接続片９Ｅ、９Ｆはシールド蓋８に接触した状態なので、扉９とシールド蓋８との電気的な接続は保たれる。図１１において、実線は扉９が閉じた状態を、二点鎖線は扉９が開いた状態を示す。
【００５１】
扉９をシールド蓋８の面に沿ってスライドさせ、長孔９Ｉの他端部が蝶番１４のシャフト１４Ａに係合した状態になったら、図１１および図１３において矢印ｂで示すように、シャフト１４Ａを中心にしてシールド蓋８から遠ざかる方向に扉９を回動させて開ける。
【００５２】
実施形態１に係るスキャナ支持台１００においては、側板２Ａ、２Ｂ、上板４、下板５、および背面板３をレーザビーム熔接およびレーザパルス熔接で接合して胴体部２０を構成し、胴体部２０の内部空間である基板収納部６にスキャナ制御基板７が収納されている。そして、基板収納部６はシールド蓋８で覆蓋されている。したがって、スキャナ制御基板７は外界から確実に電磁遮蔽されるから、外部の電界によって悪影響を受けることもないし、スキャナ制御基板がスキャナと画像データを授受することによって生じる高周波信号が外部に漏洩することも防止される。
【図面の簡単な説明】
【００５３】
【図１】図１は、実施形態１に係るスキャナ支持台の全体的な構成を示す斜視図である。
【図２】図２は、実施形態１に係るスキャナ支持台からシールド蓋およびスキャナ制御基板を除いたところを示す斜視図である。
【図３】図３は、実施形態１に係るスキャナ支持台における胴体部と支持枠体との接続を示す斜視図である。
【図４】図４は、実施形態１に係るスキャナ支持台における基板収納部にスキャナ制御基板を収納したところを示す斜視図である。
【図５】図５は、実施形態１に係るスキャナ支持台の備える支持枠体の構成を示す斜視図である。
【図６】図６は、図５に示す支持枠体を構成する部材を示す斜視図である。
【図７】図７は、実施形態１に係るスキャナ支持台の胴体部を図面斜め左方から見た構成を示す斜視図である。
【図８】図８は、実施形態１に係るスキャナ支持台の胴体部を図面斜め右方から見た構成を示す斜視図である。
【図９】図９は、実施形態１に係るスキャナ支持台におけるシールド蓋および扉の構成を示す斜視図である。
【図１０】図１０は、実施形態１に係るスキャナ支持台における扉の構成の詳細を示す斜視図である。
【図１１】図１１は、実施形態１に係るスキャナ支持台における扉の開閉動作を示す説明図である。
【図１２】図１２は、実施形態１に係るスキャナ支持台において扉をスライドさせたところを示す斜視図である。
【図１３】図１３は、実施形態１に係るスキャナ支持台において扉をスライド後、回動させたところを示す斜視図である。
【図１４】図１４は、実施形態１に係るスキャナ支持台において扉を全開したところを示す斜視図である。
【符号の説明】
【００５４】
１      支持枠体
２Ａ    側板
２Ｂ    側板
３      背面板
４      上板
５      下板
６      基板収納部
７      スキャナ制御基板
８      シールド蓋
８Ａ    フック
９      扉
９Ａ    係合部
９Ｂ    フック
９Ｃ    フック
９Ｄ    開口部
９Ｅ    接続片
９Ｆ    接続片
９Ｇ    小孔
９Ｈ    把手
９Ｉ    長孔
１０      支持梁
１１      連結梁
１２      嵌合ピン
１４      蝶番
１４Ａ    シャフト
１５      開口部
２０      胴体部
１００      スキャナ支持台
【図１】
0005115264.tif 000002
【図２】
0005115264.tif 000003
【図３】
0005115264.tif 000004
【図４】
0005115264.tif 000005
【図５】
0005115264.tif 000006
【図６】
0005115264.tif 000007
【図７】
0005115264.tif 000008
【図８】
0005115264.tif 000009
【図９】
0005115264.tif 000010
【図１０】
0005115264.tif 000011
【図１１】
0005115264.tif 000012
【図１２】
0005115264.tif 000013
【図１３】
0005115264.tif 000014
【図１４】
0005115264.tif 000015